(57)【要約】【課題】  机を対向方向に連結可能とすることである。【解決手段】  一対の前脚体２ａ，２ｂと各接続体４ａ，４ｂとの間に、平面視で直角にわん曲された左右一対の直角接続部５ａ，５ｂが設けられた机Ｄを対向方向に連結可能な連結装置であって、前記連結装置は、前記一対の直角接続部５ａ，５ｂに取付けられる一対の両方向連結具ＣFR，ＣFLを備え、前記一対の両方向連結具ＣFR，ＣFLの各本体部１１の前部には、当該一対の両方向連結具ＣFR，ＣFLを対向配置させた状態で、互いに嵌合連結される嵌合凸部１２及び嵌合凹部１３がそれぞれ形成された構成とする。【選択図】      図１１
2014004267.tif 000002
【特許請求の範囲】
【請求項１】
天板と、当該天板を支持する前後の二対の脚体と、前後の各脚体を前後方向に沿って接続する左右一対の接続体とを備え、前記一対の前脚体の間隔は一対の後脚体の間隔よりも狭くなって、各前脚体と各接続体との間には、平面視で直角にわん曲された左右一対の直角接続部が設けられた机において、当該机を対向方向に連結可能な机の連結装置であって、
前記連結装置は、前記一対の直角接続部に取付けられる一対の連結具を備え、
前記一対の連結具の各本体部の前部には、当該一対の連結具を対向配置させた状態で、互いに嵌合連結される嵌合凸部及び嵌合凹部がそれぞれ形成された構成であることを特徴とする机の連結装置。
【請求項２】
前記一対の連結具の各本体部の側部には、当該一対の連結具を、その外側の側面を対向させて並列配置させた状態で、互いに嵌合連結される嵌合凸部及び嵌合凹部がそれぞれ形成されて、当該一対の連結具は、前記机を対向方向及び横方向の双方に連結可能な両方向連結具であることを特徴とする請求項１に記載の机の連結装置。
【請求項３】
前記連結装置は、左右一対の接続体に取付けられて、前記机を横方向にのみ連結可能な一対の横方向連結具を備え、当該一対の横方向連結具の各本体部の側部には、当該一対の横方向連結具の外側の側面を対向させて並列配置させた状態で互いに嵌合される嵌合凸部、及び嵌合凹部がそれぞれ形成されていることを特徴とする請求項１又は２に記載の机の連結装置。
【請求項４】
机の左右の同一側に取付けられた両方向連結具、及び横方向連結具の各側部には、嵌合凸部又は嵌合凹部のいずれか一方の同一構造のものが形成されていることを特徴とする請求項３に記載の机の連結装置。
【請求項５】
請求項１ないし４のいずれかに記載の連結装置を取付けることのできる机であって、
二対の脚体、及び一対の接続体は、閉ループ状のパイプ体を立体形状にわん曲して形成されて、一対の前脚体の下端部は非連結構造となって、当該一対の前脚体の下端部の間は開放されていて、一対の直角接続部は、前記パイプ体の一部をわん曲させて形成されていることを特徴とする机。
【発明の詳細な説明】
【技術分野】
【０００１】
本発明は、学校、企業等で、多数が纏めて使用されて、対向方向、或いは必要に応じて対向方向及び横方向の双方向に対して連結可能な机、及び当該机の連結装置に関するものである。
【背景技術】
【０００２】
上記した机の基本構成は、天板と、当該天板を支持する前後の二対の脚体と、前後の各脚体を前後方向に沿って接続する左右一対の接続体とを備え、特許文献１の図５に示されるように、当該机の一対の接続体に、横方向に隣接する２つの机を連結可能な連結具を取付けることにより、２つ以上の机を横方向に連結可能にすることは知られている。
【０００３】
しかし、特に学校で使用される机の場合には、複数の机を横方向に並べるだけではなくて、横方向に並べた二列の複数の机を対向配置させて、児童が対面して学習を行う場合もある。この場合には、特許文献１の机では、対向配置された２つの机を連結することはできず、二列の各机が対向方向に沿って離れてしまい、対面学習の効果が低下されてしまう。
【先行技術文献】
【特許文献】
【０００４】
【特許文献１】特開２０１１−５５８７５号公報の図５
【発明の概要】
【発明が解決しようとする課題】
【０００５】
本発明は、机を対向方向に連結可能にしたり、更に、必要に応じて机を対向方向及び横方向の双方向に対して連結可能にすることを課題としている。
【課題を解決するための手段】
【０００６】
上記課題を解決するための請求項１の発明は、天板と、当該天板を支持する前後の二対の脚体と、前後の各脚体を前後方向に沿って接続する左右一対の接続体とを備え、前記一対の前脚体の間隔は一対の後脚体の間隔よりも狭くなって、各前脚体と各接続体との間には、平面視で直角にわん曲された左右一対の直角接続部が設けられた机において、当該机を対向方向に連結可能な机の連結装置であって、前記連結装置は、前記一対の直角接続部に取付けられる一対の連結具を備え、前記一対の連結具の各本体部の前部には、当該一対の連結具を対向配置させた状態で、互いに嵌合連結される嵌合凸部及び嵌合凹部がそれぞれ形成された構成であることを特徴としている。
【０００７】
請求項１の発明によれば、机の左右一対の直角接続部に取付けられる一対の連結具の前部には、当該一対の連結具を対向配置させた状態で、互いに嵌合連結される嵌合凸部及び嵌合凹部がそれぞれ形成されているために、２つの机を対向配置させると、一方の机の左側及び右側の各直角接続部に取付けられた各連結具は、他方の机の右側及び左側の各直角接続部に取付けられた各連結具と対向配置されて、対向配置された一方の机の連結具の嵌合凸部と、他方の机の連結具の嵌合凹部との嵌合連結により、対向配置された２つの机が連結される。
【０００８】
請求項２の発明は、請求項１の発明において、前記一対の連結具の各本体部の側部には、当該一対の連結具を、その外側の側面を対向させて並列配置させた状態で、互いに嵌合連結される嵌合凸部及び嵌合凹部がそれぞれ形成されて、当該一対の連結具は、前記机を対向方向及び横方向の双方に連結可能な両方向連結具であることを特徴としている。
【０００９】
請求項２の発明によれば、机の一対の直角接続部に取付けられた一対の連結具は、対向方向及び横方向の双方向に対して机を連結可能な両方向連結具であるために、机を対向方向、及び横方向の双方向に対して連結できる。
【００１０】
請求項３の発明は、請求項１又は２の発明において、前記連結装置は、左右一対の接続体に取付けられて、前記机を横方向にのみ連結可能な一対の横方向連結具を備え、当該一対の横方向連結具の各本体部の側部には、当該一対の横方向連結具の外側の側面を対向させて並列配置させた状態で互いに嵌合される嵌合凸部、及び嵌合凹部がそれぞれ形成されていることを特徴としている。
【００１１】
請求項２を引用する請求項３の発明によれば、机を横方向に連結する際に、横方向に隣接する２つの机は、両方向連結具、及び横方向連結具の２つの部分においてそれぞれ横方向に連結されるので、机の横方向に沿って連結された２つの机が一体連結構造となって、連結状態が安定化する。
【００１２】
請求項４の発明は、請求項３の発明において、机の左右の同一側に取付けられた両方向連結具、及び横方向連結具の各側部には、嵌合凸部又は嵌合凹部のいずれか一方の同一構造のものが形成されていることを特徴としている。
【００１３】
請求項４の発明によれば、２つの机を横方向に連結する際に、横方向に沿って隣接配置された各机の接続体に設けられた両方向及び横方向の各連結具の側部には、嵌合凸部又は嵌合凹部のうち、いずれか一方の同一構造のものが形成されているため、凹凸に係る嵌合関係が分かり易くなり、ひいては机の横方向の連結操作が容易となる。
【００１４】
請求項５の発明は、請求項１ないし４のいずれかに記載の連結装置を取付けることのできる机であって、二対の脚体、及び一対の接続体は、閉ループ状のパイプ体を立体形状にわん曲して形成されて、一対の前脚体の下端部は非連結構造となって、当該一対の前脚体の下端部の間は開放されていて、一対の直角接続部は、前記パイプ体の一部をわん曲させて形成されていることを特徴としている。
【００１５】
請求項５の発明によれば、対向連結を可能とする連結具を取付けるための左右一対の直角接続部が形成されたうえで、一対の前脚体の下端部が連結されていなくて、当該部分は開放構造になっているため、人が椅子に座った状態で、足を前方に伸ばしても、引っ掛かる部分がなくなって、使い勝手のよい机となる。
【発明の効果】
【００１６】
本発明によれば、机を対向方向に、或いは対向方向及び横方向の両方向に連結可能となって、特に、学校において対面学習を行う際に、対向配置された２つの机が連結状態を保持していて、使用中に２つの机が離されたりしないので、対面学習の効果が高められる。
【図面の簡単な説明】
【００１７】
【図１】一対の両方向連結具ＣFR，ＣFL及び一対の横方向連結具ＣBR，ＣBLが取付けられた机Ｄの斜視図である。
【図２】同じく平面図である。
【図３】閉ループ状のパイプ体をわん曲させて形成された前後一対の脚体２ａ，２ｂ，３ａ，３ｂ及び左右一対の接続体４ａ，４ｂのみを示す斜視図である。
【図４】左右一対の両方向連結具ＣFR，ＣFL及び左右一対の横方向連結具ＣBR，ＣBLの平面図である。
【図５】（ａ），（ｂ），（ｃ）は、それぞれ図４のＸ−Ｘ線，Ｙ1 −Ｙ1 線及びＹ2 −Ｙ2 線断面図である。
【図６】左右一対の両方向連結具ＣFR，ＣFLの斜視図である。
【図７】左右一対の横方向連結具ＣBR，ＣBLの斜視図である。
【図８】（ａ）は、２つの机Ｄを対向連結した状態において、両方向連結具ＣFR，ＣFLの連結を主体に示す平面図であり、（ｂ）は、連結部の拡大図である。
【図９】（ａ）は、２つの机Ｄを横方向Ｑで連結した状態において、両方向連結具ＣFR，ＣFL及び横方向連結具ＣBR，ＣBLの連結を主体に示す平面図であり、（ｂ）は、連結部の拡大部である。
【図１０】４つの机Ｄを対向方向Ｐ及び横方向Ｑの両方向に連結した状態の斜視図である。
【図１１】同じく平面図である。
【図１２】図１０の計４つの各両方向連結具ＣFR，ＣFLの連結部の拡大図である。
【発明を実施するための形態】
【００１８】
以下、実施例を挙げて、本発明を更に詳細に説明する。最初に、図１ないし図３を参照して、本発明に係る左右一対の両方向連結具ＣFR，ＣFL及び左右一対の横方向連結具ＣBR，ＣBLが取付けられる机Ｄについて説明する。机Ｄは、天板１と、当該天板１を支持する左右で一対となった前脚体２ａ，２ｂ及び後脚体３ａ，３ｂと、左側及び右側の前後の各脚体２ａ，３ａ（２ｂ，３ｂ）を前後方向で接続する左右一対の各接続体４ａ，４ｂとを備えている。左右一対の前脚体２ａ，２ｂの間隔Ｋ1 は、左右一対の後脚体３ａ，３ｂの間隔Ｋ2 よりも狭くなっていて（Ｋ1 ＜Ｋ2 ）、各前脚体２ａ，２ｂと各接続体４ａ，４ｂとの間には、平面視で直角にわん曲された直角接続部５ａ，５ｂがそれぞれ形成されて、各前脚体２ａ，２ｂの下端部と、各接続体４ａ，４ｂの前端部は、前記各直角接続部５ａ，５ｂを介して接続されている。
【００１９】
上記した左右で一対となった前脚体２ａ，２ｂ及び後脚体３ａ，３ｂと、左右一対の接続体４ａ，４ｂは、図３に示されるように、閉ループ状のパイプ体を立体的にわん曲させて形成される。このため、左右一対の前脚体２ａ，２ｂ及び左右一対の後脚体３ａ，３ｂの各上端部は、それぞれ脚体接続部６ａ，６ｂを介して接続されている。前後の各脚体接続部６ａ，６ｂの上面に前記天板１が固定状態で配置される。このため、一対の前脚体２ａ，２ｂの間は、開放構造になっていて、人が椅子に座った状態で、足を前方に伸ばしても、引っ掛かる部分は、存在しない。なお、図１において、８は、一対の前脚体２ａ，２ｂのほぼ上半部に取付けられた幕板を示す。
【００２０】
次に、図４ないし図７を参照して、左右一対の両方向連結具ＣFR，ＣFL及び左右一対の横方向連結具ＣBR，ＣBLについて説明する。机Ｄを構成する一対の前脚体２ａ，２ｂの下端部の外側に形成された左右一対の直角接続部５ａ，５ｂに取付けられる左右一対の両方向連結具ＣFR，ＣFLは、平面視で互いに逆方向にわん曲されることにより、互いに対称形状となった本体部１１を有していて、各本体部１１の前部には、一対の両方向連結具ＣFR，ＣFLを対向配置させた状態で互いに嵌合する嵌合凸部１２及び嵌合凹部１３がそれぞれ形成されて、全体としては、非対称形状となっている。嵌合凸部１２及び嵌合凹部１３は、平面視で鳩尾状又はダボテイル状（dovetail-shaped)をなしている。各両方向連結具ＣFR，ＣFLの本体部１１には、パイプ体をわん曲させて形成された直角接続部５ａ，５ｂの横断面視で半分を超える部分を挿入可能なパイプ体挿入凹部１４が上面に開口して長手方向に連続して形成されている。また、本体部１１の長手方向の両端に近い部分には、段差状のリベット貫通孔１８がパイプ体挿入凹部１４に貫通してそれぞれ形成されており、当該リベット貫通孔１８に貫通されたリベット５０の本体部５１における前記直角接続部５ａ，５ｂを構成するパイプ体の挿通孔７を通って、当該パイプ体内に挿入された部分が拡開されることにより、当該パイプ体を本体部１１に固定連結している。なお、図７において、５２，５３は、それぞれリベット５０の本体部５１の拡開部、及びリベット５０のフランジ状の頭部を示す。
【００２１】
右側の両方向連結具ＣFRの本体部１１の前部及び外側の側部には、嵌合凹部１３及び同１６がそれぞれ形成されている。嵌合凸部１３及び同１６は、それぞれ机Ｄを対向方向Ｐ及び横方向Ｑに連結可能にするための部分である。同様に、左側の両方向連結具ＣFLの本体部１１の前部には、右側の両方向連結具ＣFRに対して対向配置させた状態で、当該両方向連結具ＣFRの嵌合凹部１３と嵌合可能な嵌合凸部１２が形成されている。また、左側の両方向連結具ＣFLの本体部１１の外側の側部には、各両方向連結具ＣFR，ＣFLの外側の側部と対向するように、各両方向連結具ＣFR，ＣFLを横方向Ｑに並列配置させた状態で、右側の両方向連結具ＣFLの嵌合凹部１６と嵌合可能な嵌合凸部１５が形成されている。
【００２２】
また、両方向連結具ＣFR，ＣFLの本体部１１における嵌合凹部１３及び嵌合凸部１２が凹設及び凸設されている各前端面は、２つの机Ｄの対向連結時において、各机Ｄの対向する異なる両方向連結具ＣFR，ＣFLの本体部１１が当接する当接面１７ａ，１７ｂとなっている。同様に、両方向連結具ＣFR，ＣFLの本体部１１における嵌合凹部１６及び嵌合凸部１５が凹設及び凸設されている各側端面は、２つの机Ｄを横方向に連結させる際に、異なる机Ｄの両方向連結具ＣFR，ＣFLの本体部１１が横方向Ｑで当接する当接面１９ａ，１９ｂとなっている。
【００２３】
一対の両方向連結具ＣFR，ＣFLは、そのパイプ体挿入凹部１４に、パイプ体における机Ｄの左右一対の直角接続部５ａ，５ｂを構成する部分を挿入して、複数のリベット５０を用いて連結固定することにより、パイプ体における机Ｄの左右一対の直角接続部５ａ，５ｂの部分の裏面側に、それぞれ両方向連結具ＣFR，ＣFLが取付けられる。これにより、２つの机Ｄを対向方向Ｐ及び横方向Ｑの両方向に連結可能となる。
【００２４】
一方、机Ｄを構成する左右一対の接続体４ａ，４ｂの後端部には、それぞれ横方向連結具ＣBR，ＣBLが取付けられる。各横方向連結具ＣBR，ＣBLの本体部２１は、同一構造であって、細長い直方体ブロック状をなしていて、パイプ体における接続体４ａ，４ｂと各後脚体３ａ，３ｂとの接続部を挿入可能なパイプ体挿入凹部２２が上面に開口して形成されている。前記接続部がわん曲していることに対応して、パイプ体挿入凹部２２の前側は、本体部２１の前端面に開口しているが、後側は、縦断面視でわん曲形状に形成されている。各横方向連結具ＣBR，ＣBLの本体部２１の外側の側部には、当該外側の側部を対向させて横方向Ｑに並列配置させた状態で、互いに嵌合可能な嵌合凹部２４及び嵌合凸部２３が形成されている。なお、本体部２１には、両方向連結具ＣFR，ＣFLのリベット貫通孔１８と同様のリベット貫通孔２５が形成され、各横方向連結具ＣBR，ＣBLは、当該リベット貫通孔２５に貫通されたリベット５０を介してパイプ体に対して連結固定される。一対の横方向連結具ＣBR，ＣBLの外側の側面における嵌合凹部２４が凹設されている面、及び嵌合凸部２３が凸設されている面は、それぞれ２つの机Ｄを横方向Ｑに連結する際に、２つの机Ｄの各横方向連結具ＣBR，ＣBLの本体部２１が互いに当接する当接面２６ａ，２６ｂとなっている。
【００２５】
また、左右一対の両方向連結具ＣFR，ＣFLは、パイプ体における左右一対の直角接続部５ａ，５ｂの部分の下方に配置されて、机Ｄの前端部が僅かに嵩上げされるために、机Ｄの全体を同一高さだけ嵩上げする必要がある。左右一対の横方向連結具ＣBR，ＣBLは、パイプ体における左右一対の接続体４ａ，４ｂの後端部の部分の下方に配置されるため、机Ｄの全体を同一高さだけ嵩上げする作用を果している。
【００２６】
なお、左右一対の両方向連結具ＣFR，ＣFL及び左右一対の横方向連結具ＣBR，ＣBLのいずれにおいても、各本体部１１，２１、並びに嵌合凸部１２，２３及び嵌合凹部１３，２４が形成されている厚肉の部分には、射出成形後の冷却硬化時において、表面にひけや凹凸が発生するのを防止するために、肉盗みを行って、薄肉化している。しかし、この構造は、厚肉部を有する射出成形品の一般構造であって特徴とはならないので、図４ないし図７においては、「肉盗み部」は、符号を付さずに、図示のみ行い、図８以降の机Ｄの連結を主体に示す図面においては、当該「肉盗み部」は、意味を有しないので、図示を略してある。
【００２７】
そして、２つの机Ｄを対向させて連結するには、図８に示されるように、２つの机Ｄを対向配置させると、一方の机Ｄの両方向連結具ＣFRと、他方の机Ｄの両方向連結具ＣFLとが、それぞれ対向配置され、この状態で、一方の机Ｄの前端部のみを僅かに持ち上げて、左右両端の各両方向連結具ＣFR，ＣFLが対向配置されている部分において、両方向連結具ＣFLの嵌合凸部１２を、両方向連結具ＣFRの嵌合凹部１３に嵌合させる。これにより、対向配置された２つの机Ｄは、前端部に取付けられた左右一対の両方向連結具ＣFR，ＣFLが互いに嵌合連結されて、２つの机Ｄは、対向方向Ｐに沿って連結される。なお、両方向連結具ＣFRの当接面１７ａと、両方向連結具ＣFLの当接面１７ｂとは、互いに当接している。
【００２８】
また、２つの机Ｄを横方向に連結するには、図９に示されるように、２つの机Ｄを横方向Ｑに沿って並べて（並列配置して）、一方の机Ｄの両方向連結具ＣFRと他方の机Ｄの両方向連結具ＣFLを並列配置させると共に、一方の机Ｄの横方向連結具ＣBRと他方の机Ｄの横方向連結具ＣBLとを並列配置させ、この状態で、並列配置された各両方向連結具ＣFR，ＣFLの嵌合凸部１２と嵌合凹部１３とを嵌合させると共に、並列配置された各横方向連結具ＣBR，ＣBLの嵌合凸部１５と嵌合凹部１６とを嵌合させる。これにより、２つの机Ｄは、対向方向Ｐに沿った前後の２箇所において、互いに横方向Ｑに連結されるため、横方向Ｑに沿った連結状態が安定化する。
【００２９】
また、左右一対の両方向連結具ＣFR，ＣFL及び左右一対の横方向連結具ＣBR，ＣBLは、左右一対の直角接続部５ａ，５ｂ及び左右一対の接続体４ａ，４ｂを構成するパイプ体の下方に配置されて、当該パイプ体に取付けられる構成であって、図２に示されるように、平面視において当該パイプ体よりも外側に突出する部分は、僅かであるので、机Ｄの単体使用時においても、各連結具が障害とはならない。
【００３０】
また、計４つの机Ｄを対向方向Ｐ及び横方向Ｑの双方に対して連結するには、上記した対向方向Ｐの連結と、横方向Ｑの連結とを組み合せればよい。即ち、図１０ないし図１２に示されるように、対向方向Ｐに連結された２つで一組となった二組の机Ｄを横方向Ｑに沿って連結するか、横方向Ｑに連結された２つで一組となった二組の机Ｄを対向方向Ｐに沿って連結すればよい。計４つの机Ｄの各コーナー部が集まる部分では、図１2 に示されるように、４つの両方向連結具ＣFR，ＣFLが対向方向Ｐ及び横方向Ｑの両方向に対して干渉することなく、互いに連結される。なお、上記連結例では、横方向Ｑに沿った机Ｄの数は、２であるが、横方向Ｑに沿って連結された３以上の机Ｄを対向連結することも可能であり、机Ｄの対向連結の場合には、横方向Ｑに沿った机Ｄの数は、限定されない。
【００３１】
上記実施例の両方向連結具ＣFR，ＣFLは、対向方向及び横方向の両方向に対して机Ｄを連結可能な構成であるが、机の左右一対の直角接続部に取付けられる連結具は、対向方向にのみ連結可能な構成とすることも可能である。
【００３２】
上記実施例では、机の左右一対の直角接続部に両方向連結具が取付けられ、更に、左右一対の接続体に横方向連結具が取付けられて、横方向に沿った机の連結は、前後に配置された両方向及び横方向の各連結具により、前後方向（対向方向）に沿って最も離れた２箇所で連結可能な構成であって、横方向に沿った２つの机が一体連結構造となり、横方向に沿った連結が安定する利点があるが、１箇所のみで連結する構成であってもよい。この場合には、机の左右一対の直角接続部には、対向方向にのみ連結可能な連結具が取付けられ、左右一対の接続体には、横方向連結具が取付けられる構成、或いは、机の左右一対の直角接続部には、両方向連結具が取付けられて、左右一対の接続体には、両方向連結具の嵩上げ量に対応する嵩上げ量を有する嵩上げ体を取付けて、机の全体を嵩上げする構成が考えられる。
【００３３】
また、上記した両方向連結具、及び横方向連結具に設けられる嵌合凸部及び嵌合凹部は、平面視で鳩尾状をなしているが、互いに嵌合される構造であれば、いかなる形状でもよく、例えば、平面視で円形、楕円形をなしていてもよい。
【００３４】
また、本発明に係る連結具が取付けられる対象である机に関しても、対向連結を可能とする左右一対の連結具が取付けられる左右一対の直角接続部を備えておれば、上記したように、左右一対の前脚体の下端部の間が開放されている構造のものに限定されず、一般の机のように、左右一対の前脚体の下端部の間に、床面に当たるパイプ体が配されている構成の机であってもよい。
【符号の説明】
【００３５】
ＣBR，ＣBL：横方向連結具
ＣFR，ＣFL：両方向連結具
Ｋ1 ：一対の前脚体の間隔
Ｋ2 ：一対の後脚体の間隔
Ｐ：対向方向
Ｑ：横方向
１：天板
２ａ，２ｂ：前脚体
３ａ，３ｂ：後脚体
４ａ，４ｂ：接続体
５ａ，５ｂ：直角接続部
１１：両方向連結具の本体部
１２：両方向連結具の嵌合凸部（対向方向）
１３：両方向連結具の嵌合凹部（対向方向）
１５：両方向連結具の嵌合凸部（横方向）
１６：両方向連結具の嵌合凹部（横方向）
２１：横方向連結具の本体部
２３：横方向連結具の嵌合凸部（横方向）
２４：横方向連結具の嵌合凹部（横方向）
【図１】
2014004267.tif 000003
【図２】
2014004267.tif 000004
【図３】
2014004267.tif 000005
【図４】
2014004267.tif 000006
【図５】
2014004267.tif 000007
【図６】
2014004267.tif 000008
【図７】
2014004267.tif 000009
【図８】
2014004267.tif 000010
【図９】
2014004267.tif 000011
【図１０】
2014004267.tif 000012
【図１１】
2014004267.tif 000013
【図１２】
2014004267.tif 000014